(57)【要約】【課題】マイナンバーカードの情報を用いて、文書を適切に生成し印刷出力可能な仕組みを提供すること【解決するための手段】個人情報の記憶された携帯記憶媒体を検出することにより、当該記憶媒体より個人情報を取得し、当該記憶媒体から取得した個人情報に含まれる住所と、自機の設置場所の住所を比較して、前記個人情報に含まれる住所の変更をすべきか判定し、前記個人情報に含まれる住所の変更をすべきと判定された場合に、住所変更用の文書を印刷すべく制御する【選択図】図５
2017154287.tif 000002
【特許請求の範囲】
【請求項１】
個人情報の記憶された携帯記憶媒体を検出することにより、当該記憶媒体より個人情報を取得する取得手段と、
前記取得手段により取得した個人情報に含まれる住所と、自機の設置場所の住所を比較して、前記個人情報に含まれる住所の変更をすべきか判定する判定手段と、
前記判定手段により、前記個人情報に含まれる住所の変更をすべきと判定された場合に、住所変更用の文書を印刷すべく制御する印刷制御手段と、
を備えることを特徴とする画像形成装置。
【請求項２】
印刷対象の文書の選択を受け付ける選択受付手段
を備え、
前記印刷制御手段は、前記選択受付手段によって文書の選択を受け付けた場合であって、前記判定手段により前記個人情報に含まれる住所の変更をすべきと判定された場合に、前記選択を受け付けた文書と共に、前記住所変更用の文書を印刷すべく制御することを特徴とする請求項１に記載の画像形成装置。
【請求項３】
前記個人情報に付帯する付帯情報を記憶する情報処理装置と通信可能であって、
文書に対応付けて、当該文書に記載する前記付帯情報の識別情報を記憶する記憶手段と、
印刷対象の文書が、前記付帯情報の識別情報が対応付けられた文書か判定する対応付け判定手段と、
前記対応付け判定手段により、印刷対象の文書が前記付帯情報の識別情報が対応付けられた文書であると判定された場合に、前記記憶手段に記憶された前記識別情報の示す付帯情報を前記情報処理装置に要求する要求手段と、
を備え、
前記印刷制御手段は、前記要求手段による要求に応じて前記情報処理装置から取得した付帯情報を、印刷する文書に埋め込んで印刷すべく制御することを特徴とする請求項１又は２に記載の画像形成装置。
【請求項４】
前記対応付け判定手段により、印刷対象の文書が前記付帯情報の識別情報が対応付けられた文書であると判定された場合に、当該付帯情報の取得を実行するためのユーザ認証を行う認証手段と、
を備え、
前記要求手段は、前記認証手段による認証が成功した場合に、印刷対象の文書に対応付けて前記記憶手段に記憶された前記識別情報の示す付帯情報を前記情報処理装置に要求することを特徴とする請求項３に記載の画像形成装置。
【請求項５】
前記認証手段による認証を行うか否かの選択を受け付ける認証選択受付手段と、
を備え、
前記印刷制御手段は、前記認証選択受付手段により認証を行うことが選択された場合には、前記認証手段による認証の成功に応じて取得した前記付帯情報と付帯情報の有無の情報と文書に埋め込んで印刷し、前記認証選択受付手段により認証を行わないことが選択された場合には、前記付帯情報の有無を埋め込むことなく、前記個人情報を埋め込んだ文書を印刷することを特徴とする請求項４に記載の画像形成装置。
【請求項６】
画像形成装置の制御方法であって、
個人情報の記憶された携帯記憶媒体を検出することにより、当該記憶媒体より個人情報を取得する取得工程と、
前記取得工程により取得した個人情報に含まれる住所と、自機の設置場所の住所を比較して、前記個人情報に含まれる住所の変更をすべきか判定する判定工程と、
前記判定工程により、前記個人情報に含まれる住所の変更をすべきと判定された場合に、住所変更用の文書を印刷すべく制御する印刷制御工程と、
を含むことを特徴とする画像形成装置の制御方法。
【請求項７】
画像形成装置で実行が可能なプログラムであって、
前記画像形成装置を、
個人情報の記憶された携帯記憶媒体を検出することにより、当該記憶媒体より個人情報を取得する取得手段と、
前記取得手段により取得した個人情報に含まれる住所と、自機の設置場所の住所を比較して、前記個人情報に含まれる住所の変更をすべきか判定する判定手段と、
前記判定手段により、前記個人情報に含まれる住所の変更をすべきと判定された場合に、住所変更用の文書を印刷すべく制御する印刷制御手段として機能させることを特徴とする画像形成装置のプログラム。
【請求項８】
個人情報に付帯する付帯情報を記憶する情報処理装置と、個人情報の記憶された携帯記憶媒体を検出することにより当該記憶媒体より個人情報を取得する取得手段を備える画像形成装置と、を含む画像形成システムであって、
文書に対応付けて、当該文書に記載する前記付帯情報の識別情報を記憶する記憶手段と、
選択された文書が、前記付帯情報の識別情報が対応付けられた文書か判定する対応付け判定手段と、
前記対応付け判定手段により、印刷対象の文書が前記付帯情報の識別情報が対応付けられた文書であると判定された場合に、前記記憶手段に記憶された前記識別情報の示す付帯情報を要求する要求手段と、
前記要求手段による要求に応じて、前記付帯情報を要求元に送信する送信手段と、
前記送信手段により送信された前記付帯情報を受信して取得し、当該取得した取得した付帯情報を、前記選択された文書に埋め込んで印刷すべく制御する印刷制御手段と、
を備えることを特徴とする画像形成システム。
【請求項９】
個人情報に付帯する付帯情報を記憶する情報処理装置と、個人情報の記憶された携帯記憶媒体を検出することにより当該記憶媒体より個人情報を取得する取得手段を備える画像形成装置と、を含む画像形成システムの制御方法であって、
文書に対応付けて、当該文書に記載する前記付帯情報の識別情報を記憶する記憶工程と、
選択された文書が、前記付帯情報の識別情報が対応付けられた文書か判定する対応付け判定工程と、
前記対応付け判定工程により、印刷対象の文書が前記付帯情報の識別情報が対応付けられた文書であると判定された場合に、前記記憶工程に記憶された前記識別情報の示す付帯情報を要求する要求工程と、
前記要求工程による要求に応じて、前記付帯情報を要求元に送信する送信工程と、
前記送信工程により送信された前記付帯情報を受信して取得し、当該取得した取得した付帯情報を、前記選択された文書に埋め込んで印刷すべく制御する印刷制御工程と、
を含むことを特徴とする画像形成システムの制御方法。
【請求項１０】
個人情報に付帯する付帯情報を記憶する情報処理装置と、個人情報の記憶された携帯記憶媒体を検出することにより当該記憶媒体より個人情報を取得する取得手段を備える画像形成装置と、を含む画像形成システムで実行が可能なプログラムであって、
前記画像形成システムを、
文書に対応付けて、当該文書に記載する前記付帯情報の識別情報を記憶する記憶手段と、
選択された文書が、前記付帯情報の識別情報が対応付けられた文書か判定する対応付け判定手段と、
前記対応付け判定手段により、印刷対象の文書が前記付帯情報の識別情報が対応付けられた文書であると判定された場合に、前記記憶手段に記憶された前記識別情報の示す付帯情報を要求する要求手段と、
前記要求手段による要求に応じて、前記付帯情報を要求元に送信する送信手段と、
前記送信手段により送信された前記付帯情報を受信して取得し、当該取得した取得した付帯情報を、前記選択された文書に埋め込んで印刷すべく制御する印刷制御手段として機能させることを特徴とする画像形成システムのプログラム。
【発明の詳細な説明】
【技術分野】
【０００１】
本発明は、画像形成装置、画像形成システム、その制御方法及びプログラムに関する。
【背景技術】
【０００２】
現在、各市町村の役所でサービスの受給を申請する際、白紙の申請書・申込書に名前・生年月日・住所・性別を記入する機会が多く存在する。例えば引越しに際しての転出・転入の申請書、婚姻届、児童手当の申請書、障害者手帳や手当の申請書等がある。
【０００３】
各市町村の役所などでサービスの受給を申請する際、申請書等に名前・生年月日・住所・性別等の基本情報を記入するだけでなく、さまざまな個人情報（配偶者の情報、扶養家族の情報、障害の情報等）を記入する必要がある。
【０００４】
例えば、特許文献１には、ユーザＩＤをＩＣカードから読み取った情報を元に特定してプリンタにログインさせ、印刷データにユーザＩＤを埋め込んで印刷することが記載されている。
【先行技術文献】
【特許文献】
【０００５】
【特許文献１】特開２００７−１９７２２号公報
【発明の開示】
【発明が解決しようとする課題】
【０００６】
近年、マイナンバーカードの普及が進められている。例えば市区町村役場の窓口で、ユーザが手で記入している申請書の情報のうち、所定の情報（例えば基本情報（氏名・生年月日・住所・性別等））については、マイナンバーカード（カードに付与されたＩＣチップ／携帯記憶媒体）から取得することができる。よって、例えば、特許文献１の技術を用いることで、申請書にカードから取得した情報を挿入して申請書の自動発行機などで印刷することが考えられる。一方、その他の付帯情報（例えば、障害者手帳の有無、被扶養者の有無など）を申請書に印字するには、マイナンバーに紐づいて市のデータベースに登録されている付帯情報を参照・取得する必要がある。
【０００７】
しかし、市のデータベースでは市民の情報を管理するに留まる。よって、例えば市外から引っ越してきた人が、引越し後、まだ転入届を市に提出していない場合、市のデータベースにはその人の情報が存在しないことが考えられる。基本情報はマイナンバーカードから取得できるものの、例えば上述した付帯情報については、ユーザが住居登録されている場所（引越し前の市等）のデータベースで管理されていることが考えられる。
【０００８】
本発明は、マイナンバーカードの情報を用いて、文書を適切に生成して印刷出力可能な仕組みを提供することを目的とする。
【課題を解決するための手段】
【０００９】
本発明の画像形成装置は、個人情報の記憶された携帯記憶媒体を検出することにより、当該記憶媒体より個人情報を取得する取得手段と、前記取得手段により取得した個人情報に含まれる住所と、自機の設置場所の住所を比較して、前記個人情報に含まれる住所の変更をすべきか判定する判定手段と、前記判定手段により、前記個人情報に含まれる住所の変更をすべきと判定された場合に、住所変更用の文書を印刷すべく制御する印刷制御手段と、を備えることを特徴とする。
【発明の効果】
【００１０】
本発明によれば、マイナンバーカードの情報を用いて、文書を適切に生成して印刷出力可能な仕組みを提供することができる。
【図面の簡単な説明】
【００１１】
【図１】本発明の実施形態における、画像形成システムの構成の一例を示す図である。
【図２】本発明の実施形態における、画像形成装置のハードウェア構成の一例を示す図である。
【図３】本発明の実施形態における、画像形成装置のハードウェア構成の一例を示す図である。
【図４】本発明の実施形態における、各種装置の機能構成の一例を示す図である。
【図５】本発明の実施形態における、住居登録変更届の印刷処理の流れを示すフローチャートである。
【図６】本発明の実施形態における、付帯情報の取得処理の流れを示すフローチャートである。
【図７】本発明の実施形態における、各種データ構成の一例を示す図である。
【図８】本発明の実施形態における、画像形成装置の表示画面の構成の一例を示す図である。
【図９】本発明の実施形態における、画像形成装置の表示画面の構成の一例を示す図である。
【図１０】本発明の実施形態における、文書イメージの構成の一例を示す図である。
【発明を実施するための形態】
【００１２】
以下、図面を参照して、本発明の実施の形態の一例について説明する。
【００１３】
上述したように、本発明によれば、マイナンバーカードの情報を用いて、文書を適切に生成して印刷出力可能となる。
【００１４】
例えば、マイナンバーカードの情報を用いて、付帯情報を適切に取得し、当該付帯情報を反映した文書を生成・印刷出力可能となるように制御する仕組みを提供することができるようになる。
【００１５】
例えば、マイナンバーカード内の情報と、画像形成装置の設置場所情報に応じて、住居登録届を容易に印刷させることができるようになる。
【００１６】
また、例えば、マイナンバーカードに記憶されていない付帯情報を、申請書にオーバレイして印刷することができるようになる。
【００１７】
まず図１を参照して、本発明の実施形態における、画像形成ステムの構成の一例について説明する。
【００１８】
図１において各装置はＬＡＮ１０１、ＷＡＮ１０２等のネットワークにより通信可能に接続されている。サーバ２００Ａ及びサーバ２００Ｂ（総称をサーバ２００とする）は、市民のマイナンバー（個人番号）と、それに付帯する付帯情報を記憶する情報処理装置である。
【００１９】
付帯情報とは、マイナンバーに対応付けて管理される個人情報である。本発明の実施形態においては、付帯情報の一例として配偶者の情報、扶養義務者の情報、身体障害にかかる情報等を挙げて説明する。
【００２０】
印刷装置３００は、マイナンバーカードのＩＣチップ（記憶装置）に記憶されるマイナンバー等の個人情報を読み取る機能を備える。マイナンバーカードのＩＣチップに記憶されている個人情報は基本情報のみとする。本実施形態における基本情報とは、マイナンバー、氏名、生年月日、性別、本人画像である。
【００２１】
印刷装置３００は自機に記憶された文書（例：申請書）に、マイナンバーカードを読み取ることで取得した基本情報を埋め込んで印刷する。また、ユーザ操作に応じて付帯情報をサーバ２００から取得して、当該文書に埋め込んで印刷する。
【００２２】
サーバ２００は、印刷装置３００から要求された付帯情報が自拠点（自装置が所属する市区町村）のサーバに記憶されていない場合は、他の拠点（他の市区町村）のサーバに問合せを行い、必要な付帯情報を取得する。以上が図１の説明である。
【００２３】
以下、図２を用いて、本発明の実施形態における情報処理装置（サーバ２００）のハードウェア構成の一例について説明する。
【００２４】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２５】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２６】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２７】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２８】
２０８は通信Ｉ／Ｆコントローラで、ネットワーク（例えば、図１に示したＬＡＮ１０１）を介して外部機器と接続・通信するものであり、ネットワークでの通信制御処理を実行する。例えば、ＴＣＰ／ＩＰを用いた通信等が可能である。
【００２９】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３０】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。以上が図２の説明である。
【００３１】
次に、図３を用いて、本発明の実施形態における、画像形成装置（印刷装置３００）のハードウェア構成の一例について説明する。
【００３２】
図３において、３１６はコントローラユニットで、画像入力デバイスとして機能するスキャナ３１４や、画像出力デバイスとして機能するプリンタ部３１２と接続する一方、ＬＡＮ（例えば、図１に示したＬＡＮ１０１）や公衆回線（ＷＡＮ）（例えば、ＰＳＴＮまたはＩＳＤＮ等）と接続することで、画像データやデバイス情報の入出力を行う。
【００３３】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３４】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００３５】
３０７は操作部インタフェース（操作部Ｉ／Ｆ）で、操作部（キーボード）３０８とのインタフェース部である。また、操作部Ｉ／Ｆ３０７は、操作部３０８から入力したキー情報（例えば、スタートボタンの押下）をＣＰＵ３０１に伝える役割をする。
【００３６】
３０５はネットワークインタフェース（Ｎｅｔｗｏｒｋ  Ｉ／Ｆ）で、ネットワーク（ＬＡＮ）１０１に接続する。また、無線通信も可能な構成となっており、赤外線やＢｌｕｅｔｏｏｔｈ（登録商標）、Ｗｉ-Ｆｉ（登録商標）を用いた通信にて他の装置と接続する。データの入出力を行う。３０６はモデム（ＭＯＤＥＭ）で、公衆回線に接続し、ＦＡＸの送受信等のデータの入出力を行う。
【００３７】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となる携帯端末のＩＣカード（記憶媒体）の読み取り用のカードリーダ３１９が外部Ｉ／Ｆ部３１８に接続されている。そして、ＣＰＵ３０１は、この外部Ｉ／Ｆ３１８を介してカードリーダ３１９による携帯端末のＩＣカードからの情報読み取りを制御し、該携帯端末のＩＣカードから読み取られた情報を取得可能である。以上のデバイスがシステムバス３０９上に配置される。
【００３８】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
画像バス３１５は、ＰＣＩバスまたはＩＥＥＥ１３９４で構成される。画像バス３１５上には以下のデバイスが配置される。
【００３９】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ部３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００４０】
３１７は画像処理部で、入力画像データに対し補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００４１】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００４２】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００４３】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４４】
尚、表示部はプリンタによって表示性能が異なり、タッチパネルを介して操作をできるプリンタ、単に液晶画面を備え文字列を表示（印刷状態や印刷している文書名の表示）させるだけのプリンタによって本発明は構成されている。
【００４５】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００４６】
カードリーダ３１９は、ＣＰＵ３０１からの制御により、ＩＣカード（ＩＣチップとして携帯端末内に備えられていてもよい）に記憶されている情報を読み取り、該読み取った情報を外部Ｉ／Ｆ３１８を介してＣＰＵ３０１へ通知する。また、カードリーダ３１９はＮＦＣの通信規格に対応しており、ＩＣカードや携帯端末のＩＣチップへの読み書きを行うことが可能な構成となっている（カードリーダ／ライタ）。なお、ＮＦＣ規格対応のカードリーダに、ＮＦＣ規格対応の携帯端末をかざすと、認証を行い、携帯端末とプリンタ（印刷装置）とのペアリングを行う。そして、かざされた携帯端末とプリンタ（印刷装置）で通信（Ｐ２Ｐ）を確立してデータの通信を行うことが可能である。その他、高速通信規格である、Ｂｌｕｅｔｏｏｔｈ（登録商標）やＷｉ-Ｆｉ（登録商標）に通信を引き継ぎ（ハンドオーバー）、携帯端末とプリンタ（印刷装置）間で通信を行わせることも可能である。例えば、携帯端末をカードリーダにかざすことで、携帯端末に記憶されている画像をプリンタ（印刷装置）へ送信することが可能となる。なお、ＮＦＣの通信規格の詳細は、従来技術であるため、説明を省略するものとする。
【００４７】
上述した印刷装置３００では、印刷装置３００を制御するためのプラットフォームが存在し、このプラットフォーム上で、認証サーバと通信するための認証アプリケーションが動作している。認証アプリケーションはＨＤＤ３０４に記憶されている。プラットフォームが管理する、ログイン時にユーザ情報を格納するログインコンテキストや、各種設定情報は、ＨＤＤ３０４上に領域が確保されている。
【００４８】
また、プラットフォーム上には、印刷装置３００の本体機能を拡張したアプリケーションがインストールされ、動作している。これらアプリケーションは、プラットフォームのＡＰＩを用いて実行される。
このプラットフォームを介して、プリンタの各機能を制御することが可能な構成となっている。
【００４９】
また、印刷装置３００には、Ｗｅｂブラウザも記憶されており、Ｗｅｂシステムと連携することも可能である。この場合、Ｗｅｂアプリケーションサーバから受信した画面をＷｅｂブラウザを用いて表示する。Ｗｅｂブラウザ上で指示した命令は、Ｗｅｂアプリケーションサーバへ要求がなされ、Ｗｅｂアプリケーションサーバからの命令を受け付けることによって、印刷装置３００により動作（スキャンやプリント処理）を実行することが可能である。
【００５０】
以上のような構成によって、印刷装置３００は、スキャナ３１４から読み込んだ画像データをＬＡＮ１０１上に送信したり、ＬＡＮ１０１から受信した印刷データをプリンタ部３１２により印刷出力することができる。
【００５１】
また、スキャナ３１４から読み込んだ画像データをモデム３０６により、公衆回線上にＦＡＸ送信したり、公衆回線からＦＡＸ受信した画像データをプリンタ部３１２により出力することできる。以上が図３の説明である。
【００５２】
次に、図４を用いて本実施形態における画像形成システムの各機能について説明する。図４は、本実施形態における画像形成システムの機能ブロック図である。本実施形態における各装置の備える処理部（４００〜４１９）の機能は、各装置のＣＰＵによって実現されるものである。
【００５３】
個人情報記憶部４０１は、個人情報を記憶する記憶部である。サーバ２００の個人情報記憶部４０１に記憶される個人情報は、基本情報（図７の基本情報７００と同一の値／７１１〜７１６）と、付帯情報（図７の７１７、７１８、７１９等）を含む。
【００５４】
付帯情報要求受付部４０２は、印刷装置３００から付帯情報の要求を受け付ける受付部である。個人情報有無判定部４０３は、付帯情報要求受付部４０２で要求を受け付けた付帯情報を持つ個人（マイナンバー）の情報が、自機に記憶されているか判定する判定部である。
【００５５】
付帯情報要求転送部４０４は、個人情報有無判定部４０３で自機に要求された付帯情報を持つ個人情報が記憶されていないと判定された場合に、要求を受け付けた付帯情報の付帯元のマイナンバーの示す個人の前住所の示す市区町村のサーバ（例：サーバ２００Ｂ）に転送して、サーバ２００Ｂに当該付帯情報を要求する処理部である。
【００５６】
付帯情報受信部４０５は、サーバ２００Ｂから、付帯情報要求転送部４０４で要求した付帯情報を受信する処理部である。付帯情報送信部４０６は、付帯情報受信部４０５で受信した付帯情報を、印刷装置３００に送信する送信部である。
【００５７】
マイナンバーカード検出部４１１は、カードリーダの機能を用いて、マイナンバーカードを検出する検出部である。基本情報読込部４１２は、検出されたマイナンバーカード（検出されたＩＣチップ（マイナンバーカードに付けられたＩＣチップ））から、基本情報７００（図７）の情報を取得する処理部である。
【００５８】
本実施形態における基本情報とは、図７の７００に示す通り、マイナンバー７０１、マイナンバーの示す個人の氏名７０２、当該個人の居住地を示す住所７０３、当該個人の生年月日７０４、当該個人の性別７０５、当該個人の顔画像である本人画像７０６の情報である。基本情報７００は、マイナンバーカードのＩＣチップに記憶されている。
【００５９】
文書選択受付部４１３は、印刷装置３００が表示画面に表示した文書の中から、例えばユーザ操作により、ユーザが印刷を所望する文書の選択を受け付ける選択受付部である。転入・転居済み判定部４１４は、基本情報読込部４１２で読み込まれた基本情報の中のマイナンバーの個人が、印刷装置３００の設置されている市区町村に転入または転居済みか判定する判定部である。
【００６０】
転入・転居届印刷部４１５は、転入・転居済み判定部４１４で、当該個人が印刷装置３００の設置されている市区町村に未転入・未転居だと判定した場合に、転入届または転居届（住居変更届／住所変更の申請書）を印刷する処理部である。
【００６１】
認証要否判定部４１６は、認証を行うことで、付帯情報をサーバ２００から取得する処理を行うか判定する判定部である。例えばユーザ操作により、認証することが選択され、認証が成功した場合に、付帯情報要求部４１７が印刷装置３００の設置されている市区町村のサーバ２００（例：サーバ２００Ａ）に、基本情報読込部４１２で読み込まれたマイナンバーに付帯する付帯情報を要求する。
【００６２】
付帯情報受信部４１８は、付帯情報要求部４１７で要求した付帯情報をサーバ２００Ａより受信する受信部である。被選択文書印刷部４１９は、文書選択受付部４１３に基本情報を埋め込んで印刷する処理部である。また、当該文書が付帯情報の項目を持つ文書の場合には、付帯情報受信部４１８で受信した付帯情報を当該項目に埋め込んで印刷する。以上が図４の説明である。
次に図５を参照して、本発明の実施形態における、住居登録変更届の印刷処理の流れについて説明する。
【００６３】
印刷装置３００のＣＰＵ３０１は、図８に示すような待機画面８００を表示画面に表示しておき、カードリーダの機能を用いてマイナンバーカードを検出し（ステップＳ５０１）、検出したマイナンバーカードから基本情報を読み込んで取得する（ステップＳ５０２）。
【００６４】
印刷装置３００のＣＰＵ３０１は、自機内に記憶されている文書の文書名を取得して（ステップＳ５０３）、印刷する文書をユーザに選択させるための画面を生成し、表示画面に表示する（ステップＳ５０４）。例えば、図８の印刷文書選択画面８２０を生成して表示画面に表示する。
【００６５】
なお、文書の数が多い場合、１つの画面に全ての文書を一覧表示すると煩雑なため、例えば図８のメニュー画面８１０のような画面を生成・表示してまず文書の種類をユーザに選択させ、選択された種類の文書を印刷文書選択画面８２０で表示するようにしてもよい。
【００６６】
印刷装置３００のＣＰＵ３０１は、印刷対象の文書の選択を受け付けると（ステップＳ５０５）、選択を受け付けた文書が住居変更届か判定する（ステップＳ５０６）。選択を受け付けた文書が転入届または転居届の場合、住居変更届の選択を受け付けたと判定するものとする。
【００６７】
選択を受け付けた文書が住居変更届の場合、当該住居変更届の氏名、住所、生年月日、性別の項目に、ステップＳ５０２で取得した基本情報７００の各項目の情報を埋め込んだ（重畳した／オーバレイした）住居変更届の印刷イメージ（例：転入届の文書画像）を生成しステップＳ５１４）、印刷出力する（ステップＳ５１５）。つまり、住所変更届を印刷するよう印刷制御する。
【００６８】
一方、選択を受け付けた文書が住居変更届でない場合、印刷装置３００のＣＰＵ３０１は処理をステップＳ５０７に移行し、自機の設置場所情報を取得する（ステップＳ５０７）。設置場所情報とは例えば図７の７３０に示す情報であり、各印刷装置３００の外部メモリに記憶されている。設置場所情報７３０の端末ＩＤ７３１は、当該設置場所情報７３０を記憶している印刷装置の識別情報である。設置場所７３２は、端末ＩＤ７３１の示す印刷装置３００が設置されている場所（市区町村）を示す。
【００６９】
印刷装置３００のＣＰＵ３０１は、文書を出力しようとしているユーザが、自機の設置されている市区町村の住民か判定する（ステップＳ５０８）。具体的には、ステップＳ５０２でマイナンバーカードから取得した住所の市区町村と、ステップＳ５０７で取得した設置場所の市区町村とを比較して、２つ（例：２つの住所の内「〜県〜市」までの情報）が一致する場合に、文書を出力しようとしているユーザが、自機の設置されている市区町村の住民であると判定する。
【００７０】
文書を出力しようとしているユーザが、自機の設置されている市区町村の住民である場合、処理をステップＳ５１３に移行し、選択を受け付けた文書の印刷処理を実行する（ステップＳ５１３）。ステップＳ５１３の詳細については、図６の説明で後述する。
【００７１】
文書を出力しようとしているユーザが、自機の設置されている市区町村の住民でない場合、住所変更届（住所変更用の文書）を選択した文書と共に印刷するか否かユーザに通知して選択させる画面（例：図８の通知画面８３０）を生成して表示画面に表示する（ステップＳ５０８）。
【００７２】
印刷装置３００のＣＰＵ３０１は、ユーザ操作を受け付け（ステップＳ５０９）、受け付けた操作が、ステップＳ５０５で選択された文書と住所変更届の一括印刷の操作か、選択された文書のみの印刷操作かを判定する（ステップＳ５１０）。通知画面８３０における「はい」ボタンの押下であった場合に一括印刷の操作を受け付けたと判定し、「いいえ」ボタンの押下であった場合に選択された文書のみの印刷操作を受け付けたと判定する。
【００７３】
「いいえ」ボタンの押下を受け付けたと判定した場合には、処理をステップＳ５１３に移行する。「はい」ボタンの押下を受け付けたと判定した場合には、住所変更届（例：転入届）の印刷イメージを生成して（ステップＳ５１１）、印刷出力する（ステップＳ５１２）。つまり、住所変更届を印刷するよう印刷制御する。そして処理をステップＳ５１３に移行して実行し、処理を終了する。以上が図５の説明である。
【００７４】
次に図６を参照して、本発明の実施形態における、付帯情報の取得処理の流れについて説明する。
【００７５】
印刷装置３００のＣＰＵ３０１は、ステップＳ５０５で選択を受け付けた文書の文書情報を取得して、基本情報を埋め込んだ（重畳した／オーバレイした）印刷イメージを生成する（ステップＳ６０１）。生成した印刷イメージの一例を図１０の印刷イメージ１０１０に示す。
【００７６】
文書情報とは、例えば図７に示す文書情報７２０である。文書ＩＤ７２１は文書の識別情報であり、文書名７２２は文書の名称である。付帯情報項目７２３は、文書ＩＤ７２１の文書が備える付帯情報の記載項目である。つまり、当該文書を用いた申請に必要な付帯情報が登録・記憶されている項目である。
【００７７】
本実施形態の説明においては、例えばステップＳ５０５でＸＸ手当認定申請書の選択を受け付けたものとする。ＸＸ手当認定申請書のイメージは図１０に示す。
【００７８】
印刷装置３００のＣＰＵ３０１は、ステップＳ５０５で選択された文書の文書情報７２０における付帯情報項目７２３を参照して、基本情報以外にオーバレイすべき付帯情報が存在するかを判定する。（ステップＳ６０２）。付帯情報項目７２３に何らかの値が記憶されている場合にはオーバレイすべき付帯情報が存在すると判定し、何の値も記憶されていない場合にはオーバレイすべき付帯情報が存在しないと判定する。
【００７９】
印刷装置３００のＣＰＵ３０１は、選択された文書にオーバレイすべき付帯情報が存在しないと判定した場合には、処理をステップＳ６２２に移行して、ステップＳ６０１で生成した印刷イメージ（文書）を印刷する（ステップＳ６２２）。選択された文書にオーバレイすべき付帯情報が存在すると判定した場合には、処理をステップＳ６０３に移行する。
【００８０】
印刷装置３００のＣＰＵ３０１は、認証実施確認画面を表示画面に表示する。（ステップＳ６０３）。認証実施確認画面とは、ユーザ認証を行って付帯情報をサーバ２００から取得して文書に埋め込むか（印字するか／重畳するか／オーバレイするか）ユーザに選択させるための画面である。例えば図９の認証実施確認画面９００である。
【００８１】
当該認証実施確認画面を表示してユーザに付帯情報を取得するか否か確認させるのは、付帯情報を取得するために（マイナンバーカードから情報を読み取るように１つの端末内で個人情報を取得、処理するだけでなく）、例えば後述するステップＳ６１１〜Ｓ６１５等においてＬＡＮ１０１に比べてセキュリティのレベルが低いと想定されるＷＡＮ１０２上でユーザの個人情報を送受信する可能性があるため、ユーザに当該ＷＡＮ１０２上で個人情報の送受信をする了解を得る必要があるからである。
【００８２】
また、付帯情報を取得するために認証をすることで、本人以外のユーザに、基本情報に比べてより詳細な情報である付帯情報の流出を防止することができる。
【００８３】
印刷装置３００のＣＰＵ３０１は、認証を実行して付帯情報を取得する操作を受け付けたか判定する（ステップＳ６０４）。例えば、認証実施確認画面９００の「認証する」ボタンの押下を受け付けた場合に、認証を実行して付帯情報を取得する操作を受け付けたと判定する。なお、「認証しない」ボタンの押下を受け付けた場合は処理をステップＳ６２２に移行する（認証選択受付手段に該当）。
【００８４】
認証を実行して付帯情報を取得する操作を受け付けた場合、印刷装置３００のＣＰＵ３０１は認証画面９１０を表示画面に表示し、予めサーバ２００に登録されているパスワードの入力を受け付け、「認証実行」ボタンの押下を受け付ける。これにより、サーバ２００に当該パスワードとステップＳ５０２で取得したマイナンバーを送信し、サーバ２００が自機に記憶されている不図示の認証テーブル（マイナンバーとパスワードを対応付けたテーブル）を参照して、マイナンバーとパスワードの組み合わせた認証テーブル内の組み合わせと一致しているか判定する。一致している場合、認証成功を示す情報を印刷装置３００に返信する。一致しない場合は認証失敗を示す情報を印刷装置３００に返信する。印刷装置３００のＣＰＵ３０１は当該情報を受信することで、認証が成功したか否かを判定する（ステップＳ６０５）。なお、ここではパスワード認証を行うものとしたが、印刷装置３００にカメラ装置を設置し、当該カメラ装置から取得したユーザの顔画像と、本人画像７０６（又は本人画像７１６）を用いて顔認証を行うようにしてもよい。
【００８５】
印刷装置３００のＣＰＵ３０１は、認証が失敗した場合には処理をステップＳ６２２に移行する。認証が成功した場合には処理をステップＳ６０６に移行して、ステップＳ６０２で取得した文書情報７２０の付帯情報項目７２３の情報を自装置と同じ拠点のサーバ２００に要求する（ステップＳ６０６）。ここではサーバ２００Ａと印刷装置がＬＡＮ１０１で接続された同じネットワーク内の端末（同じ拠点の装置）であるものとする。当該要求には、ステップＳ５０２で取得したマイナンバーと、要求する付帯情報の項目名（例：配偶者、扶養義務者等）とを含めるものとする。
【００８６】
サーバ２００ＡのＣＰＵ２０１は当該要求を受信し（ステップＳ６０７）、当概要求に含まれるマイナンバーと付帯情報の項目名を取得して、当該マイナンバーと同一のマイナンバーに対応付けられた、当該項目名の示す付帯情報を、自機の外部メモリに記憶されている個人情報テーブル（図７の個人情報テーブル７１０）から検索して取得する。
【００８７】
個人情報テーブル７１０は、サーバ２００Ａの市区町村に住所登録がされている住民の個人情報（７１１〜７１９）が記憶・登録されている。７１１〜７１６の項目の説明は、基本情報７００の説明と同一のため省略する。配偶者７１７は、マイナンバー７１１の個人の配偶者のマイナンバーが記憶されている。値が記憶されていない＝配偶者がいないことを示す。扶養義務者７１８は、マイナンバー７１１の個人を扶養する義務を負っている者のマイナンバーが記憶されている。値が記憶されていない＝扶養義務者がいないことを示す。障害者手帳７１９は、マイナンバー７１１の個人の所有する障害者手帳の番号を示す。番号が記憶されていない＝障害者手帳を発行していないことを示す。
【００８８】
サーバ２００ＡのＣＰＵ２０１は、ステップＳ６０８の検索の結果、自機の個人情報テーブルから検索対象の付帯情報を取得できたか判定する（ステップＳ６０９）。取得できた場合は処理をステップＳ６１６に移行し、付帯情報を取得できた結果として当該付帯情報を送信する。
【００８９】
自機の個人情報テーブルから付帯情報を取得できなかった場合は、未だ住所変更届が提出されていないために引越し元の市区町村のサーバ２００Ｂから（引越し先の市区町村の）サーバ２００Ａに付帯情報が移動して登録されていないことが考えられる。また、住所変更届を出しているが、マイナンバーカード及びサーバ２００Ａ上の個人情報テーブルの各種情報が更新されていないことが考えられる。
【００９０】
よって、サーバ２００ＡのＣＰＵ２０１は、自機の個人情報テーブルから付帯情報を取得できなかった場合は、マイナンバーカードから取得した住所の示す市区町村、及びその市区町村に対応するサーバ２００Ｂを特定して、ステップＳ６０７で要求を受け付けた付帯情報をサーバ２００Ｂに要求する。どのサーバがどの市区町村に対応するかの情報は、例えば図７のサーバ設置場所情報７４０を用いて特定する。サーバ設置場所情報７４０は、サーバＩＤ７４１のサーバの設置場所（管轄区域）７４２を示す情報であり、各サーバ２００の外部メモリに予め記憶されているものとする。なお、サーバ２００Ａは、サーバ２００Ｂへの要求に、ステップＳ５０２で取得したマイナンバーと、要求する付帯情報の項目名（例：配偶者、扶養義務者等）とを含めるものとする。
【００９１】
サーバ２００ＢのＣＰＵ２０１は当該要求を受信し（ステップＳ６１２）、自機内の個人情報テーブル７１０を検索して対象の付帯情報を含む個人情報を取得する（ステップＳ６１３）。そして、検索して取得した個人情報を要求元のサーバ２００Ａに、検索結果の情報として返信する（ステップＳ６１４）。なお、検索しても付帯情報を取得できなかった場合、その結果をサーバ２００Ａに返信する。ここでいう結果とは、例えば、「マイナンバーは検索できたが、付帯情報は登録がなかった」という結果や、「そもそもマイナンバーが個人情報テーブルになかった」等の結果である。
【００９２】
サーバ２００ＡのＣＰＵ２０１は、当該結果の情報を受信して取得する（ステップＳ６１５）。なお、ネットワークの切断等のトラブルによりサーバ２００Ｂから付帯情報を取得できなかった場合には、その旨を示す情報を結果の情報として取得する。サーバ２００ＡのＣＰＵ２０１は、当該取得した結果の情報を印刷装置３００に送信する（ステップＳ６１６）。
【００９３】
印刷装置３００のＣＰＵ３０１は当該結果の情報を受信し（ステップＳ６１７）、当該結果の情報に付帯情報が含まれるか判定する（ステップＳ６１８）。付帯情報が含まれている場合は処理をステップＳ６２０に移行する。付帯情報が含まれていない場合は処理をステップＳ６１９に移行する。
【００９４】
ステップＳ６１９で、印刷装置３００のＣＰＵ３０１は、サーバ２００Ｂから結果の情報を受信できたか判定する（ステップＳ６１９）。例えば、サーバ２００Ｂと通信できずに結果が受信できなかった場合は、サーバ２００Ｂから結果を受信できなかったと判定する。また、サーバ２００Ｂに個人情報の登録そのものがなかった場合も、サーバ２００Ｂから結果を受信できなかったと判定する。サーバ２００Ｂから結果を受信できたと判定した場合は処理をステップＳ６２０に移行する。サーバ２００Ｂから結果を受信できなかったと判定した場合は処理をステップＳ６２３に移行する。
【００９５】
ステップＳ６２０で、印刷装置３００のＣＰＵ３０１は、ステップＳ６１７で取得した付帯情報を各付帯情報に対応する文書（ステップＳ６０１で生成した文書イメージ）の各項目にオーバレイする（ステップＳ６２０）。そして、値が登録されていなかった付帯情報の項目に「なし」の記載を埋め込んで（ステップＳ６２１）、印刷出力する（ステップＳ６２２）。
【００９６】
これにより、付帯情報の有無及び情報の内容を適切に記載した文書を生成することができる。
【００９７】
よって、例えば申請書を適切に印刷することができる。
【００９８】
ステップＳ６２１で生成される印刷イメージの例を図１０の印刷イメージ１０００に示す。
【００９９】
一方、ステップＳ６２３で、印刷装置３００のＣＰＵ３０１は、図９の選択画面９２０に示すような選択画面を表示する（ステップＳ６２３）。当該選択画面を表示するのは、付帯情報がないのか、実は付帯情報はあるが適切に受信できなかっただけなのか不明であり、仮に付帯情報があるにも関わらず「なし」の記載を埋め込んで印刷してしまうことで、ユーザによる記載の修正（印刷後の文書上の「なし」の記載に二重線を書き込んで、訂正印を押し、訂正内容を記載するような修正）の手間が増えることを回避すべく、本当に付帯情報「なし」として良いかユーザに確認、選択させるためである。
【０１００】
印刷装置３００のＣＰＵ３０１は、文書の付帯情報の項目に「なし」を埋め込む指示を受け付けたか判定する（ステップＳ６２４）。例えば、選択画面９２０の「印字する」ボタンの押下を受け付けた場合、「なし」の記載を埋め込む指示を受け付けたと判定する。「印字しない」ボタンの押下を受け付けた場合、「なし」の記載を埋め込まない指示を受け付けたと判定する。
【０１０１】
印刷装置３００のＣＰＵ３０１は、選択画面９２０の「印字する」ボタンが押下された場合は処理をステップＳ６２１に移行し、「印字しない」ボタンが押下された場合はステップＳ６０１で生成した付帯情報の項目が空欄の印刷イメージをそのまま印刷することを決定し、処理をステップＳ６２２に移行し、印刷を実行する。以上が図６の説明である。
【０１０２】
以上説明したように、本発明によれば、マイナンバーカードの情報を用いて、文書を適切に生成して印刷出力可能な仕組みを提供することができる。
【０１０３】
例えば、マイナンバーカード内の情報と、画像形成装置の設置場所情報に応じて、住居登録届を容易に印刷させることができるようになる。
【０１０４】
また、例えば、マイナンバーカードに記憶されていない付帯情報を、申請書にオーバレイして印刷することができるようになる。
【０１０５】
また、例えば、付帯情報を適切に取得できなかった場合に、付帯情報に自動で記載を埋め込むかをユーザに選択させることができる。
【０１０６】
尚、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１０７】
具体的には、印刷装置３００とサーバ２００Ａが一体であり、上述した実施形態の各処理（例えば図４で説明した各機能部の処理や、図６のステップＳ６０１〜Ｓ６１１、Ｓ６１５〜Ｓ６２４の各ステップの処理）を実行するようにしてもよい。
【０１０８】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１０９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１１０】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１１１】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１１２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１１４】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１１５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１１６】
尚、前述した実施形態は、本発明を実施するにあたっての具体化の例を示したものに過ぎず、これらによって本発明の技術的範囲が限定的に解釈されてはならないものである。
即ち、本発明はその技術思想、又はその主要な特徴から逸脱することなく、様々な形で実施することができる。
【符号の説明】
【０１１７】
１０１    ＬＡＮ
１０２    ＷＡＮ
２００Ａ  サーバ
２００Ｂ  サーバ
３００    印刷装置
【図１】
2017154287.tif 000003
【図２】
2017154287.tif 000004
【図３】
2017154287.tif 000005
【図４】
2017154287.tif 000006
【図５】
2017154287.tif 000007
【図６】
2017154287.tif 000008
【図７】
2017154287.tif 000009
【図８】
2017154287.tif 000010
【図９】
2017154287.tif 000011
【図１０】
2017154287.tif 000012